(57)【特許請求の範囲】
【請求項１】
端末と情報処理装置を備える情報処理システムであって、
前記端末は、
目的位置情報と目的時刻情報を取得し、取得した前記目的位置情報と前記目的時刻情報のうち少なくとも１つを用いて条件情報を生成する条件情報生成部と、
前記目的位置情報および前記目的時刻情報それぞれに基づく情報を取得し、取得した前記情報のうち前記条件情報に応じた情報を用いて状態情報を生成する状態情報生成部と、
前記条件情報を前記情報処理装置へ送信し、前記状態情報を所定の時間間隔毎に前記情報処理装置へ送信する送信部と、
前記情報処理装置から通知情報を受信する受信部と、
前記通知情報を受信したとき、前記状態情報が、前記目的時刻情報の条件を満たすと判別した場合にリマインダーを生成するリマインダー生成部と、
生成された前記リマインダーを報知する報知部と、
前記端末における充電状態を検出する充電状態検出部と、
前記充電状態検出部により検出された充電状態に応じて、前記端末において動作するアプリケーションについての制御を行うアプリケーション制御部とを備え、
前記情報処理装置は、
前記端末が送信した前記条件情報と前記状態情報を取得する取得部と、
取得された前記状態情報が前記条件情報に含まれる前記目的位置情報の条件を満たすと判別した場合に前記通知情報を生成する条件判定部と、
前記通知情報を前記端末に送信する出力部とを備える
情報処理システム。
【請求項２】
アプリケーションについて優先度を設定する優先度設定部をさらに備え、
前記アプリケーション制御部は、前記優先度設定部により設定された優先度に基づいて、動作中のアプリケーションのうちから、前記充電状態検出部により検出された充電状態に応じて停止対象のアプリケーションを決定する
請求項１に記載の情報処理システム。
【請求項３】
前記アプリケーション制御部は、
前記充電状態検出部により検出された充電状態に応じて同時に動作が可能なアプリケーションの数を設定する
請求項２に記載の情報処理システム。
【請求項４】
前記アプリケーション制御部は、
前記端末のバッテリ容量に基づく起動可能アプリケーション数について、前記目的位置情報が示す現在位置が目的位置に近づくにつれて制限されるように補正する、
請求項３に記載の情報処理システム。
【請求項５】
前記アプリケーション制御部は、
前記充電状態検出部により検出された充電状態に応じて動作中のアプリケーションのうちから停止対象として決定されたアプリケーションについての停止の可否を利用者に確認するための停止確認画面を表示し、前記停止確認画面に対して行われた操作に基づいて、停止が指定されたアプリケーションを停止させる
請求項１から４のいずれか一項に記載の情報処理システム。
【請求項６】
前記アプリケーション制御部は、
前記停止確認画面に対して行われた操作に基づいて、停止が指定されなかったアプリケーションについては、動作を継続させる
請求項５に記載の情報処理システム。
【請求項７】
目的位置情報と目的時刻情報を取得し、取得した前記目的位置情報と前記目的時刻情報のうち少なくとも１つを用いて条件情報を生成する条件情報生成部と、
前記目的位置情報および前記目的時刻情報それぞれに基づく情報を取得し、取得した前記情報のうち前記条件情報に応じた情報を用いて状態情報を生成する状態情報生成部と、
前記条件情報を情報処理装置へ送信し、前記状態情報を所定の時間間隔毎に前記情報処理装置へ送信する送信部と、
前記情報処理装置から通知情報を受信する受信部と、
前記通知情報を受信したとき、前記状態情報が、前記目的時刻情報の条件を満たすと判別した場合にリマインダーを生成するリマインダー生成部と、
生成された前記リマインダーを報知する報知部と、
端末における充電状態を検出する充電状態検出部と、
前記充電状態検出部により検出された充電状態に応じて、前記端末において動作するアプリケーションについての制御を行うアプリケーション制御部と
を備える端末。
【請求項８】
端末と情報処理装置を備える情報処理システムにおける情報処理方法であって、
前記端末の条件情報生成部が、目的位置情報と目的時刻情報を取得し、取得した前記目的位置情報と前記目的時刻情報のうち少なくとも１つを用いて条件情報を生成する条件情報生成手順と、
前記端末の状態情報生成部が、前記目的位置情報および前記目的時刻情報それぞれに基づく情報を取得し、取得した前記情報のうち前記条件情報に応じた情報を用いて状態情報を生成する状態情報生成手順と、
前記端末の送信部が、前記条件情報を前記情報処理装置へ送信し、前記状態情報を所定の時間間隔毎に前記情報処理装置へ送信する送信手順と、
前記端末の受信部が、前記情報処理装置から通知情報を受信する受信手順と、
前記端末のリマインダー生成部が、前記通知情報を受信したとき、前記状態情報が、前記目的時刻情報の条件を満たすと判別した場合にリマインダーを生成するリマインダー生成手順と、
前記端末の報知部が、生成された前記リマインダーを報知する報知手順と、
前記端末の充電状態検出部が、前記端末における充電状態を検出する充電状態検出手順と、
前記端末のアプリケーション制御部が、前記充電状態検出部により検出された充電状態に応じて、前記端末において動作するアプリケーションについての制御を行うアプリケーション制御手順と、
前記情報処理装置の取得部が、前記端末が送信した前記条件情報と前記状態情報を取得する取得手順と、
前記情報処理装置の条件判定部が、取得された前記状態情報が前記条件情報に含まれる前記目的位置情報の条件を満たすと判別した場合に前記通知情報を生成する条件判定手順と、
前記情報処理装置の出力部が、前記通知情報を前記端末に送信する出力手順と
を含む情報処理方法。
【請求項９】
条件情報生成部が、目的位置情報と目的時刻情報を取得し、取得した前記目的位置情報と前記目的時刻情報のうち少なくとも１つを用いて条件情報を生成する条件情報生成手順と、
状態情報生成部が、前記目的位置情報および前記目的時刻情報それぞれに基づく情報を取得し、取得した前記情報のうち前記条件情報に応じた情報を用いて状態情報を生成する状態情報生成手順と、
送信部が、前記条件情報を情報処理装置へ送信し、前記状態情報を所定の時間間隔毎に前記情報処理装置へ送信する送信手順と、
受信部が、前記情報処理装置から通知情報を受信する受信手順と、
リマインダー生成部が、前記通知情報を受信したとき、前記状態情報が、前記目的時刻情報の条件を満たすと判別した場合にリマインダーを生成するリマインダー生成手順と、
報知部が、生成された前記リマインダーを報知する報知手順と、
充電状態検出部が、端末における充電状態を検出する充電状態検出手順と、
アプリケーション制御部が、前記充電状態検出手順により検出された充電状態に応じて、前記端末において動作するアプリケーションについての制御を行うアプリケーション制御手順と
を含む端末の情報処理方法。
【請求項１０】
端末のコンピュータに、
目的位置情報と目的時刻情報を取得し、取得した前記目的位置情報と前記目的時刻情報のうち少なくとも１つを用いて条件情報を生成する条件情報生成手順と、
前記目的位置情報および前記目的時刻情報それぞれに基づく情報を取得し、取得した前記情報のうち前記条件情報に応じた情報を用いて状態情報を生成する状態情報生成手順と、
前記条件情報を情報処理装置へ送信し、前記状態情報を所定の時間間隔毎に前記情報処理装置へ送信する送信手順と、
前記情報処理装置から通知情報を受信する受信手順と、
前記通知情報を受信したとき、前記状態情報が、前記目的時刻情報の条件を満たすと判別した場合にリマインダーを生成するリマインダー生成手順と、
生成された前記リマインダーを報知する報知手順と、
前記端末における充電状態を検出する充電状態検出手順と、
前記充電状態検出手順により検出された充電状態に応じて、前記端末において動作するアプリケーションについての制御を行うアプリケーション制御手順と
を実行させるためのプログラム。
【発明の詳細な説明】
【技術分野】
【０００１】
本発明は、情報処理システム、端末、情報処理方法、端末の情報処理方法、およびプログラムに関する。
【背景技術】
【０００２】
利用者（ユーザ）により指定された位置と時刻とをサーバに登録し、サーバは、利用者の端末から受信した現在位置が登録された位置に該当し、現在時刻が登録された位置に該当した場合に、端末に通知情報を送信するようにされた情報通知システムが知られている（例えば、特許文献１参照）。
【先行技術文献】
【特許文献】
【０００３】
【特許文献１】特許第５０５５４６８号公報
【発明の概要】
【発明が解決しようとする課題】
【０００４】
しかしながら、特許文献１の情報通知システムにおいては、通知情報の送信にあたり、サーバ側で位置に関する判定と時刻に関する判定との両者の判定を行っている。このため、例えば情報通知システムを利用する利用者数が増加し、端末が増加した場合には、サーバの処理負荷が大きくなる可能性がある。
【０００５】
そこで、例えば通知情報（即ちリマインダー）を報知するにあたり、位置に関する判定と時刻に関する判定とのいずれか一方をサーバが行い、他方を端末が行うように処理を分散させることが考えられる。しかしながら、この場合には、端末側が位置または時刻に関する判定処理を行うことによる消費電力の増加が生じる。この場合のリマインダー機能を備える端末は携帯型であり、バッテリにより駆動されることが一般的であることから、消費電力の増加によりバッテリの持続時間が短縮する。
【０００６】
本発明は上記の点に鑑みてなされたものであり、リマンダーを報知するにあたり端末と情報処理装置とで処理を分散して行うようにされた情報処理システムにおいて、端末におけるバッテリの持続時間の短縮を抑制することのできる情報処理システム、端末、情報処理方法、端末の情報処理方法、およびプログラムを提供することを目的とする。
【課題を解決するための手段】
【０００７】
（１）上記目的を達成するため、本発明の一態様は、端末と情報処理装置を備える情報処理システムであって、前記端末は、目的位置情報と目的時刻情報を取得し、取得した前記目的位置情報と前記目的時刻情報のうち少なくとも１つを用いて条件情報を生成する条件情報生成部と、前記目的位置情報および前記目的時刻情報それぞれに基づく情報を取得し、取得した前記情報のうち前記条件情報に応じた情報を用いて状態情報を生成する状態情報生成部と、前記条件情報を前記情報処理装置へ送信し、前記状態情報を所定の時間間隔毎に前記情報処理装置へ送信する送信部と、前記情報処理装置から通知情報を受信する受信部と、前記通知情報を受信したとき、前記状態情報が、前記目的時刻情報の条件を満たすと判別した場合にリマインダーを生成するリマインダー生成部と、生成された前記リマインダーを報知する報知部と、前記端末における充電状態を検出する充電状態検出部と、前記充電状態検出部により検出された充電状態に応じて、前記端末において動作するアプリケーションについての制御を行うアプリケーション制御部とを備え、前記情報処理装置は、前記端末が送信した前記条件情報と前記状態情報を取得する取得部と、取得された前記状態情報が前記条件情報に含まれる前記目的位置情報の条件を満たすと判別した場合に前記通知情報を生成する条件判定部と、前記通知情報を前記端末に送信する出力部とを備える情報処理システムである。
【０００８】
（２）また、本発明の一態様は、上記の情報処理システムであって、アプリケーションについて優先度を設定する優先度設定部をさらに備え、前記アプリケーション制御部は、前記優先度設定部により設定された優先度に基づいて、動作中のアプリケーションのうちから、前記充電状態検出部により検出された充電状態に応じて停止対象のアプリケーションを決定してもよい。
【０００９】
（３）また、本発明の一態様は、上記の情報処理システムであって、前記アプリケーション制御部は、前記充電状態検出部により検出された充電状態に応じて同時に動作が可能なアプリケーションの数を設定してもよい。
【００１０】
（４）また、本発明の一態様は、上記の情報処理システムであって、前記アプリケーション制御部は、前記端末のバッテリ容量に基づく起動可能アプリケーション数について、前記目的位置情報が示す現在位置が目的位置に近づくにつれて制限されるように補正するようにしてもよい。
【００１１】
（５）また、本発明の一態様は、上記の情報処理システムであって、前記アプリケーション制御部は、前記充電状態検出部により検出された充電状態に応じて動作中のアプリケーションのうちから停止対象として決定されたアプリケーションについての停止の可否を利用者に確認する停止確認画面を表示し、前記停止確認画面に対して行われた操作に基づいて、停止が指定されたアプリケーションを停止させてもよい。
【００１２】
（６）また、本発明の一態様は、上記の情報処理システムであって、前記アプリケーション制御部は、停止確認画面に対して行われた操作に基づいて、停止が指定されなかったアプリケーションについては、動作を継続させてもよい。
【００１３】
（７）本発明の一態様は、目的位置情報と目的時刻情報を取得し、取得した前記目的位置情報と前記目的時刻情報のうち少なくとも１つを用いて条件情報を生成する条件情報生成部と、前記目的位置情報および前記目的時刻情報それぞれに基づく情報を取得し、取得した前記情報のうち前記条件情報に応じた情報を用いて状態情報を生成する状態情報生成部と、前記条件情報を情報処理装置へ送信し、前記状態情報を所定の時間間隔毎に前記情報処理装置へ送信する送信部と、前記情報処理装置から通知情報を受信する受信部と、前記通知情報を受信したとき、前記状態情報が、前記目的時刻情報の条件を満たすと判別した場合にリマインダーを生成するリマインダー生成部と、生成された前記リマインダーを報知する報知部と、端末における充電状態を検出する充電状態検出部と、前記充電状態検出部により検出された充電状態に応じて、前記端末において動作するアプリケーションについての制御を行うアプリケーション制御部とを備える端末である。
【００１４】
（８）本発明の一態様は、端末と情報処理装置を備える情報処理システムにおける情報処理方法であって、前記端末の条件情報生成部が、目的位置情報と目的時刻情報を取得し、取得した前記目的位置情報と前記目的時刻情報のうち少なくとも１つを用いて条件情報を生成する条件情報生成手順と、前記端末の状態情報生成部が、前記目的位置情報および前記目的時刻情報それぞれに基づく情報を取得し、取得した前記情報のうち前記条件情報に応じた情報を用いて状態情報を生成する状態情報生成手順と、前記端末の送信部が、前記条件情報を前記情報処理装置へ送信し、前記状態情報を所定の時間間隔毎に前記情報処理装置へ送信する送信手順と、前記端末の受信部が、前記情報処理装置から通知情報を受信する受信手順と、前記端末のリマインダー生成部が、前記通知情報を受信したとき、前記状態情報が、前記目的時刻情報の条件を満たすと判別した場合にリマインダーを生成するリマインダー生成手順と、前記端末の報知部が、生成された前記リマインダーを報知する報知手順と、前記端末の充電状態検出部が、前記端末における充電状態を検出する充電状態検出手順と、前記端末のアプリケーション制御部が、前記充電状態検出部により検出された充電状態に応じて、前記端末において動作するアプリケーションについての制御を行うアプリケーション制御手順と、前記情報処理装置の取得部が、前記端末が送信した前記条件情報と前記状態情報を取得する取得手順と、前記情報処理装置の条件判定部が、取得された前記状態情報が前記条件情報に含まれる前記目的位置情報の条件を満たすと判別した場合に前記通知情報を生成する条件判定手順と、前記情報処理装置の出力部が、前記通知情報を前記端末に送信する出力手順とを含む情報処理方法である。
【００１５】
（９）本発明の一態様は、条件情報生成部が、目的位置情報と目的時刻情報を取得し、取得した前記目的位置情報と前記目的時刻情報のうち少なくとも１つを用いて条件情報を生成する条件情報生成手順と、状態情報生成部が、前記目的位置情報および前記目的時刻情報それぞれに基づく情報を取得し、取得した前記情報のうち前記条件情報に応じた情報を用いて状態情報を生成する状態情報生成手順と、送信部が、前記条件情報を情報処理装置へ送信し、前記状態情報を所定の時間間隔毎に前記情報処理装置へ送信する送信手順と、受信部が、前記情報処理装置から通知情報を受信する受信手順と、リマインダー生成部が、前記通知情報を受信したとき、前記状態情報が、前記目的時刻情報の条件を満たすと判別した場合にリマインダーを生成するリマインダー生成手順と、報知部が、生成された前記リマインダーを報知する報知手順と、充電状態検出部が、端末における充電状態を検出する充電状態検出手順と、アプリケーション制御部が、前記充電状態検出手順により検出された充電状態に応じて、前記端末において動作するアプリケーションについての制御を行うアプリケーション制御手順とを含む端末の情報処理方法である。
【００１６】
（１０）本発明の一態様は、端末のコンピュータに、目的位置情報と目的時刻情報を取得し、取得した前記目的位置情報と前記目的時刻情報のうち少なくとも１つを用いて条件情報を生成する条件情報生成手順と、前記目的位置情報および前記目的時刻情報それぞれに基づく情報を取得し、取得した前記情報のうち前記条件情報に応じた情報を用いて状態情報を生成する状態情報生成手順と、前記条件情報を情報処理装置へ送信し、前記状態情報を所定の時間間隔毎に前記情報処理装置へ送信する送信手順と、前記情報処理装置から通知情報を受信する受信手順と、前記通知情報を受信したとき、前記状態情報が、前記目的時刻情報の条件を満たすと判別した場合にリマインダーを生成するリマインダー生成手順と、生成された前記リマインダーを報知する報知手順と、前記端末における充電状態を検出する充電状態検出手順と、前記充電状態検出手順により検出された充電状態に応じて、前記端末において動作するアプリケーションについての制御を行うアプリケーション制御手順とを実行させるためのプログラムである。
【発明の効果】
【００１７】
上述した（１）、（７）、（８）、（９）、（１０）の構成によれば、端末と情報処理装置とがリマインダー報知の条件判定を分散して行うにあたり、端末の充電状態に応じて端末にて動作するアプリケーションを制御することができる。アプリケーションの動作の制御によっては、アプリケーションの動作に起因する消費電力の低減を図ることが可能となり、端末におけるバッテリの持続時間の短縮を抑制することが可能になる。
【００１８】
上述した（２）の構成によれば、アプリケーションについて設定された優先度に基づいて、動作中のアプリケーションのうちで、例えば優先度の低いものから停止対象のアプリケーションを選択していくことができる。これにより、端末の充電状態に応じてアプリケーションを停止させるように制御するにあたり、利用者による端末の使い勝手ができるだけ損なわれないようにすることができる。
【００１９】
上述した（３）の構成によれば、端末の充電状態に応じて同時に動作が可能なアプリケーションの数が設定されることになる。これにより、バッテリの持続時間の短縮を抑制しながらも、利用者による端末の使い勝手ができるだけ損なわれないようにすることができる。
【００２０】
上述した（４）の構成によれば、端末の充電状態に応じて同時に動作が可能なアプリケーションの数の設定について、リマインダー報知の一条件に対応する目的位置と、端末の現在位置との距離に応じて補正を行うことができる。これにより、端末位置が目的位置に近づくほど、バッテリの持続時間の短縮を抑制する度合いを高くして、リマインダー報知ができるだけ確実に行われるようにすることができる。
【００２１】
上述した（５）の構成によれば、充電状態に基づいて停止対象として選択されたアプリケーションを利用者が確認し、停止対象のアプリケーションについての停止の可否を指定する操作を行うことができる。これにより、例えば利用者がリマインダー機能の持続よりも停止対象のアプリケーションの使用を優先させたいような場合には、停止対象として選択されたアプリケーションを停止させないようにできるため、端末の使い勝手が損なわれることがない。
【００２２】
上述した（６）の構成によれば、停止対象として選択されたアプリケーションのうち、停止が指定されなかったものについては、停止されることなく動作が継続される。これにより、利用者が、例えば停止対象のアプリケーションのうちから、停止させるアプリケーションと動作を継続させるアプリケーションとを指定できることになる。これにより、利用者の意思を尊重しながら、バッテリの持続時間の短縮の抑制を図ることが可能になる。
【図面の簡単な説明】
【００２３】
【図１】第１実施形態に係る情報処理システムの構成を示すブロック図である。
【図２】第１実施形態に係る識別子が付加された条件情報の一例を示す図である。
【図３】第１実施形態に係る識別子が付加された状態情報の一例を示す図である。
【図４】第１実施形態に係る情報処理装置のリマインダーデータベースに記憶されている情報の一例を示す図である。
【図５】第１実施形態に係る端末の報知部が有する画像表示部に表示される表示画像の例を示す図である。
【図６】第１実施形態に係る情報処理装置が端末を検出する位置の範囲の例を示す図である。
【図７】第１実施形態に係る端末が情報を取得、送信する所定の時間間隔の一例を示す図である。
【図８】第１実施形態に係る端末、情報処理装置の処理手順の一例を示すシーケンス図である。
【図９】第１実施形態に係る端末の処理手順の一例を示すフローチャートである。
【図１０】第１実施形態に係る情報処理装置の処理手順の一例を示すフローチャートである。
【図１１】第１実施形態に係る優先順位設定画面の一例を示す図である。
【図１２】第１実施形態に係る端末が備えるバッテリの時間経過に応じた電圧（バッテリ電圧）の変化例を示す図である。
【図１３】第１実施形態に係る起動可能アプリケーション数テーブルの一例を示す図である。
【図１４】第１実施形態に係る停止確認画面の一例を示す図である。
【図１５】第１実施形態に係る端末がアプリケーション制御のために実行する処理手順の一例を示すフローチャートである。
【図１６】第２実施形態に係るエリア設定の一例を示す図である。
【図１７】第２実施形態に係る補正値テーブルの一例を示す図である。
【図１８】第２実施形態に係る端末がアプリケーション制御に関連して実行する処理手順の一例を示すフローチャートである。
【発明を実施するための形態】
【００２４】
［第１実施形態］
まず、本実施形態の概要を説明する。
本実施形態では、利用者がスマートフォン等の端末を操作して、リマインダーを報知して欲しい場所（以下、目的位置情報という）と時刻（以下、目的時刻情報という）を入力する。そして、端末は、入力されたこれらの情報を自端末に登録するとともに、入力された情報のうちの１つ、例えば目的位置情報をサーバ等の情報処理装置へ送信する。端末は、目的位置情報を送信後、所定の時間間隔毎に取得した現在位置情報を情報処理装置へ送信する。情報処理装置は、現在位置が目的位置を含む所定の範囲内であるか否かの判別を行い、現在位置が所定の範囲内である場合に、所定の範囲内に端末が存在することを示す情報を送信する。すなわち、本実施形態の情報処理装置は、端末で入力された情報の全てに対して判断を行うのではなく、入力された情報のうち、例えば１つについてのみ判断を行う。さらに、端末は、情報処理装置から所定の範囲内に端末が存在することを示す情報を受信したとき、現在時刻が目的時刻を含む所定の時間内であるか否かのみを判定し、現在時刻が所定の時間内である場合にリマインダーを報知する。このように、本実施形態では、リマインダーの報知処理を、端末と情報処理装置で分散して行う。
【００２５】
以下、図面を参照しながら本発明の実施形態について説明する。
図１は、本実施形態に係る情報処理システム１の構成を示すブロック図である。図１に示すように、情報処理システム１は、端末２と情報処理装置４を備える。端末２と情報処理装置４は、ネットワーク３を介して情報のやりとりを行う。ネットワーク３は、例えば通信プロトコルとしてＩＰ（インターネットプロトコル）を用いたインターネットである。なお、ネットワーク３は、例えば携帯電話網、無線ＬＡＮ（Ｌｏｃａｌ  Ａｒｅａ  Ｎｅｔｗｏｒｋ；ローカル・エリア・ネットワーク）等を含んで構成されていてもよい。
【００２６】
＜端末２の構成、情報処理装置４の構成＞
端末２は、入力部２１、条件情報生成部２２、リマインダーデータベース２３、送信部２４、状態情報取得部２５、状態情報生成部２６、受信部２７、リマインダー生成部２８、報知部２９、優先度設定部３０、およびアプリケーション管理部３１を備えている。入力部２１は、収音部２１１、音声認識部２１２、およびタッチセンサ２１３を備える。状態情報取得部２５は、ＧＰＳ２５１、計時部２５２、およびセンサ部２５３を備える。
情報処理装置４は、取得部４１、地図データベース４２、条件情報処理部４３、リマインダーデータベース４４、状態情報処理部４５、条件判定部４６、および出力部４７を備える。
【００２７】
＜端末２の機能＞
まず、端末２について説明する。端末２は、例えば通信機能を有するスマートフォン、タブレット端末、携帯ゲーム機器、車両、ロボット等である。本実施形態では、端末２がスマートフォンの例を説明する。
【００２８】
入力部２１は、利用者が入力した通知条件情報を取得し、取得した通知条件情報を条件情報生成部２２に出力する。
収音部２１１は、マイクロホンである。収音部２１１は、収音した音声信号を電気信号に変換して、変換した音声信号を音声認識部２１２に出力する。
【００２９】
音声認識部２１２は、収音部２１１が出力した音声信号に対して、フレーム毎に音声信号の音声特徴量を算出する。音声認識部２１２は、算出した音声特徴量と自部に記憶されている音声認識モデルを用いて音声認識処理を行う。音声認識部２１２は、算出した音声特徴量について音声認識モデルを用いて算出した尤度が最も高い語句を認識結果として定める。音声認識部２１２は、認識した結果を示すテキストデータを条件情報生成部２２に出力する。ここで、テキストデータには、少なくとも目的位置を示す目的位置情報（第１条件）、目的位置で所定の行動を行う予定の目的時刻を示す目的時刻情報（第２条件）が含まれている。また、目的位置情報は、例えば、駅名、ビル名、店名または公園名などのランドマークを示す情報、または地名等のうちの少なくとも１つである。また、目的時刻情報には、年月日および時刻を表す情報が含まれている。なお、音声認識部２１２は、例えば音響信号の大きさに基づいて発話区間を検出し、検出した発話区間内の音声信号に対して音声認識処理を行うようにしてもよい。
【００３０】
タッチセンサ２１３は、報知部２９が備える画像表示部上に設けられたタッチパネル式のセンサである。タッチセンサ２１３は、端末２の利用者によって操作された結果を検出し、検出された結果を示す検出結果情報を条件情報生成部２２に出力する。ここで、検出結果情報には、少なくとも目的位置情報と目的時刻情報が含まれている。
収音部２１１またはタッチセンサ２１３が取得する情報は、利用者によってリマンダーを報知するための条件である。このため、以下の説明において、目的位置情報と目的時刻情報のうち少なくとも１つを含む情報を通知条件情報ともいう。
【００３１】
条件情報生成部２２は、入力部２１が出力した通知条件情報を取得する。すなわち、条件情報生成部２２は、音声認識部２１２が出力したテキストデータ、またはタッチセンサ２１３が出力した検出結果情報を取得する。条件情報生成部２２は、取得したテキストデータまたは検出結果情報に含まれる目的位置情報および目的時刻情報のうち少なくとも１つの情報に基づいて、条件情報を生成する。ここで、条件情報とは、目的位置情報および目的時刻情報のうち少なくとも１つの情報である。条件情報生成部２２は、生成した条件情報に端末２を識別するための識別子を付加して送信部２４に出力し、さらにリマインダーデータベース２３（記憶部）に条件情報を書き込む。なお、以下の説明では、条件情報が目的位置情報の例を説明する。また、条件情報に含まれる情報は、端末２と情報処理装置４の間で予め定められているとする。例えば、情報処理装置４側で処理して欲しい情報を、情報処理システム１の設計者が予め定めるようにしてもよい。また、識別子は、例えば端末２のＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）、またはＭＥＩＤ（Ｍｏｂｉｌｅ  Ｅｑｕｉｐｍｅｎｔ  ＩＤｅｎｔｉｆｉｅｒ）等である。
【００３２】
リマインダーデータベース２３は、条件情報に対応付けて状態情報を記憶する。なお、リマインダーデータベース２３が記憶する情報の例については、後述する。
【００３３】
送信部２４は、条件情報生成部２２が出力した識別子が付加された条件情報を、ネットワーク３を介して情報処理装置４へ送信する。送信部２４は、状態情報生成部２６が出力した識別子が付加された状態情報を、ネットワーク３を介して情報処理装置４へ送信する。なお、送信部２４が情報処理装置４へ送信する状態情報には、少なくとも現在位置情報が含まれていればよい。送信部２４は、リマインダー生成部２８が出力した識別子が付加された実行情報を、ネットワーク３を介して情報処理装置４へ送信する。
【００３４】
状態情報取得部２５は、後述する検出情報を取得し、取得した検出情報を状態情報生成部２６に出力する。
ＧＰＳ２５１は、ＧＰＳ衛生からの電波を受信し、受信した電波に基づいて端末２が使用されている位置情報を取得し、取得した位置情報を現在位置情報として状態情報生成部２６に出力する。ここで、現在位置情報は、目的位置情報に基づく情報であり、現在位置の座標を緯度と経度で表した情報である。なお、ＧＰＳ２５１は、基地局（不図示）との通信に基づいて位置情報を取得するようにしてもよい。また、ＧＰＳ２５１は、受信した電波に含まれるＧＰＳ時刻を抽出し、抽出したＧＰＳ時刻に基づいて現在時刻を算出し、算出した現在時刻を示す現在時刻情報を状態情報生成部２６に出力するようにしてもよい。なお、現在時刻情報は、目的時刻情報に基づく情報である。
【００３５】
計時部２５２は、基地局との通信によって現在時刻を取得し、取得した現在時刻を示す現在時刻情報を状態情報生成部２６に出力する。なお、計時部２５２は、端末２によって生成された基準クロック信号をカウントして計時を行い、計時した時刻情報を現在時刻情報として状態情報生成部２６に出力するようにしてもよい。
【００３６】
センサ部２５３は、端末２の状態を検出するセンサであり、センサによって検出されたセンサ情報を状態情報生成部２６に出力する。センサ部２５３は、例えば、端末２の傾き等を検出する加速度センサ、端末２の周囲の照度を検出する照度センサ、端末２の周囲の気温を検出する気温センサ、端末２の周囲の湿度を検出する湿度センサ、端末２の周囲の気圧を検出する気圧センサ等のうち少なくとも１つのセンサである。
【００３７】
充電状態検出部２５４は、端末２における充電状態を検出する。ここで、端末２における充電状態とは、以下の概念を含む。
本実施形態の端末２は、図示していないが電源として充電が可能なバッテリ（蓄電池）を備える。端末２における充電状態は、バッテリの容量、即ち、現在においてバッテリに充電（蓄積）されている電力量を含む。また、端末２における充電状態は、バッテリが充電されている状態にあるか否かを含む。
【００３８】
なお、ＧＰＳ２５１、計時部２５２、およびセンサ部２５３は、所定の時間間隔毎に各情報を取得する。または、ＧＰＳ２５１、計時部２５２、およびセンサ部２５３は、情報処理装置４から通知情報を受信したとき、少なくとも現在時刻情報を取得するようにしてもよい。
【００３９】
状態情報生成部２６には、ＧＰＳ２５１が出力する現在位置情報、計時部２５２が出力する現在時刻情報、センサ部２５３が出力するセンサ情報のうち少なくとも現在位置情報と現在時刻情報が入力される。なお、現在位置情報、現在時刻情報、センサ情報を検出情報ともいう。状態情報生成部２６は、入力された検出情報を用いて、状態情報を生成する。ここで、状態情報とは、少なくとも現在位置情報と現在時刻情報を含む情報である。状態情報生成部２６は、生成した状態情報をリマインダー生成部２８に出力する。また、状態情報生成部２６は、状態情報に識別子を付加して送信部２４に出力する。また、状態情報生成部２６は、生成した状態情報をリマインダーデータベース２３に書き込む。なお、状態情報生成部２６は、リマインダーデータベース２３に記憶されている状態情報を更新し、例えば最新の状態情報と１つ前の状態情報のみをリマインダーデータベース２３に書き込むようにしてもよい。
【００４０】
受信部２７は、情報処理装置４が送信した通知情報を、ネットワーク３を介して受信し、受信した通知情報をリマインダー生成部２８に出力する。
【００４１】
リマインダー生成部２８は、受信部２７が通知情報を出力したときから第１の所定の時間内に、状態情報生成部２６から状態情報が入力されたか否かを判別する。ここで、第１の所定の時間とは、例えば１分である。なお、第１の所定の時間は、端末２の利用者の移動速度、天候、気温、高度、現在時刻等に応じて、異なる値であってもよい。なお、リマインダー生成部２８は、例えばＧＰＳ２５１から取得した第１の時刻の時の第１の現在位置情報と、第２の時刻の時の第２の現在位置情報を用いて移動速度を算出する。また、リマインダー生成部２８は、例えばインターネット上から現在位置の天候や気温に関する情報を、ネットワーク３を介して受信部２７によって取得するようにしてもよい。リマインダー生成部２８は、所定の時間内に状態情報が入力されたと判別した場合、リマインダーデータベース２３に記憶されている条件情報を参照し、現在時刻が目的時刻を含む第２の所定の時間内であるか否かを判別する。または、リマインダー生成部２８は、所定の時間内に状態情報が入力されなかったと判別した場合、リマインダーデータベース２３に記憶されている条件情報と最新の状態情報を読み出し、現在時刻が目的時刻を含む第２の所定の時間内であるか否かを判別する。ここで、第２の所定の時間とは、例えば５分である。現在時刻が目的時刻を含む第２の所定の時間内である場合、リマインダー生成部２８は、現在位置が目的位置を含む所定の範囲内であり、かつ現在時刻が目的時刻を含む第２の所定の時間内であると決定してリマンダーを生成する。リマインダー生成部２８は、生成したリマインダーを報知部２９に出力する。さらに、リマインダー生成部２８は、リマインダーを報知部２９に出力したとき、リマインダーを実行したことを示す実行情報に識別子と目的時刻情報を付加して送信部２４に出力する。
【００４２】
報知部２９は、リマインダー生成部２８が出力したリマインダーを、画像、音声、振動等のうち少なくとも１つを用いて報知する。報知部２９は、画像表示装置、音声出力装置、振動装置等を含んで構成されている。画像表示装置は、例えば液晶ディスプレイであり、音声出力装置は、例えばスピーカーであり、振動装置は、例えばバイブレータである。
【００４３】
優先度設定部３０は、端末２にインストールされているアプリケーション毎に優先度を設定する。本実施形態の優先度設定部３０は、優先度として、アプリケーションに対して優先順位を設定する。なお、優先度設定部３０は、優先順位に代えて、例えば優先の度合いを示す数値をアプリケーション毎に設定してもよい。
後述するように、利用者は、報知部２９が有する画像表示部に表示された優先順位設定画面に対して操作を行うことによって優先順位を設定することができる。
【００４４】
アプリケーション制御部３１は、充電状態検出部２５４により検出された充電状態に応じて、端末２において同時に動作するアプリケーションについての制御を行う。具体的に、アプリケーション制御部３１は、端末２において同時に動作しているアプリケーションのうちから停止対象として選択したアプリケーションの動作を停止させるように制御することができる。
【００４５】
＜情報処理装置４の機能＞
次に、情報処理装置４について説明する。情報処理装置４は、例えばサーバである。
【００４６】
取得部４１は、受信部であり、端末２が送信した条件情報、状態情報または実行情報を、ネットワーク３を介して受信する。取得部４１は、受信した条件情報、状態情報または実行情報を条件情報処理部４３と状態情報処理部４５に出力する。
【００４７】
地図データベース４２は、ランドマークを識別する情報に対応付けてランドマーク毎の属性情報を記憶する。ここで、ランドマークを識別する情報とは、例えば、鉄道等の駅名、建物名、公園名、広場名、施設名、愛称等である。また、ランドマークの属性情報とは、例えば、ランドマークの座標（緯度、経度）、ランドマークの住所を含む。地図データベース４２が、さらに、例えば鉄道等の駅の構内図の情報や、複数の建物によって構成させる敷地（例えば大学の構内）の構内図の情報を記憶するようにしてもよい。なお、情報処理装置４は、地図データベース４２を備えていなくてもよく、地図データベース４２が情報処理装置４にネットワーク３を介して接続されていてもよい。
【００４８】
条件情報処理部４３は、取得部４１が出力した情報から条件情報を抽出し、抽出した条件情報に含まれる目的位置情報を、地図データベース４２を参照して座標（緯度、経度）に変換する。条件情報処理部４３は、変換した座標を識別子と関連付けて、リマインダーデータベース４４に書き込む。なお、条件情報処理部４３は、条件情報に目的時刻情報が含まれている場合、目的時刻情報も上述した情報に関連付けてリマインダーデータベース４４に書き込むようにしてもよい。
【００４９】
リマインダーデータベース４４は、識別子毎に、目的位置の座標、目的日時を対応付けて記憶する。なお、リマインダーデータベース４４が記憶する情報の例については、後述する。
【００５０】
状態情報処理部４５は、取得部４１が出力した情報から状態情報を抽出し、抽出した状態情報に含まれる現在位置情報を条件判定部４６に出力する。また、状態情報処理部４５は、取得部４１が出力した情報から実行情報を抽出し、抽出した実行情報を条件判定部４６に出力する。
【００５１】
条件判定部４６は、状態情報処理部４５から状態情報が入力されたとき、リマインダーデータベース４４を参照して、状態情報に含まれる現在位置情報が、識別子に対応付けられている目的位置の座標を中心とする所定の範囲内であるか否かを判別する。なお、所定の範囲については、後述する。条件判定部４６は、現在位置が、所定の範囲内であると判別した場合、端末２が所定の範囲内に存在することを示す通知情報を生成し、生成した通知情報を出力部４７に出力する。
また、条件判定部４６は、状態情報処理部４５から実行情報が入力されたとき、実行情報に含まれる識別子に対応付けられている目的位置の座標と目的時刻情報をリマインダーデータベース４４から削除する。なお、１つの識別子に対して、複数の目的位置の座標と目的時刻情報が対応付けられてリマインダーデータベース４４に記憶されている場合、条件判定部４６は、実行情報に含まれる目的時刻情報と一致する目的位置の座標と目的時刻情報をリマインダーデータベース４４から削除する。
【００５２】
出力部４７は、送信部であり、条件判定部４６が出力した通知情報を、ネットワーク３を介して端末２へ送信する。
【００５３】
ここで、条件情報の例、状態情報の例、リマインダーデータベース４４に記憶されている情報の例を説明する。
まず、条件情報の例を説明する。
図２は、本実施形態に係る識別子が付加された条件情報の一例を示す図である。図２に示す例において、情報処理装置４に送信される情報は、識別子に、目的位置情報と目的時刻情報が対応付けられている。
【００５４】
次に、状態情報の例を説明する。
図３は、本実施形態に係る識別子が付加された状態情報の一例を示す図である。図３に示すように、情報処理装置４に送信される情報は、識別子に、現在位置情報、現在時刻情報、センサ情報が対応付けられている。
【００５５】
次に、リマインダーデータベース４４に記憶されている情報の例を説明する。
図４は、本実施形態に係る情報処理装置４のリマインダーデータベース４４に記憶されている情報の一例を示す図である。なお、図４に示す例は、条件情報に目的位置情報と目的時刻情報が含まれている例である。図４に示す例では、例えば識別子ＩＤ１００１に、渋谷のＡＡビルの座標、目的時刻情報として「２０１５年７月７日１７時」が対応付けられている。
【００５６】
＜端末２の表示画像例＞
次に、端末２の報知部２９が有する画像表示部に表示される表示画像の例を説明する。図５は、本実施形態に係る端末２の報知部２９が有する画像表示部に表示される表示画像の例を示す図である。図５の符号ｇ１０１が示す画像は、通知条件情報を登録する際の表示画像の一例である。表示画像には、新規作成ボタンの画像ｂ１１、登録済みの「待ち合わせ」を表す画像ｂ１２、登録済みの「打合せ」を表す画像ｂ１３が含まれている。利用者は、新規の通知条件情報を登録するとき、新規作成ボタンの画像ｂ１１を選択する。選択された結果は、タッチセンサ２１３によって検出される。また、利用者は、登録済みの通知条件情報を参照または編集する場合に、例えば、「待ち合わせ」を表す画像ｂ１２を選択する。
【００５７】
図５の符号ｇ１０２が示す画像は、新規作成ボタンの画像ｂ１１が選択された場合の表示画像の一例である。表示画像には、リマインダー名を編集するボタンの画像ｂ２１、目的位置を入力するボタンの画像ｂ２２、目的時刻を入力するボタンの画像ｂ２３が含まれている。利用者は、リマインダー名を編集するボタンの画像ｂ２１を選択して、リマインダー名、例えば「買い物」を選択または入力する。利用者は、目的位置を入力するボタンの画像ｂ２２を選択して、リマインダーを登録する目的位置に関する情報、例えば地名、ランドマーク名を入力する。利用者は、目的時刻を入力するボタンの画像ｂ２３を選択して、リマインダーを登録する年月日と時刻を選択または入力する。
【００５８】
図５の符号ｇ１０３が示す画像は、リマインダーの報知の際の表示画像の一例である。表示画像には、リマインダーの詳細を表示させるボタンの画像ｂ３１、リマインダーの報知画像を閉じるボタンの画像ｂ３２、リマンダーが実行されたことを確認するボタンの画像ｂ３３が含まれている。利用者は、リマンダーが報知されたとき、登録したリマンダーの詳細な内容を確認したい場合、リマインダーの詳細を表示させるボタンの画像ｂ３１を選択する。これにより、登録されたリマンダー名、目的位置、目的時刻の情報が表示される。また、利用者は、リマインダーが報知された後、以後も報知を繰り返して欲しい場合、リマインダーの報知画像を閉じるボタンの画像ｂ３２を選択する。これにより、例えば、５分後に、端末２と情報処理装置４が登録された条件を再度確認し、条件と合っている場合、再度、端末２がリマンダーの報知を行う。また、利用者は、リマインダーが報知された後、リマンダーの報知を終了させたい場合、リマンダーが実行されたことを確認するボタンの画像ｂ３３を選択する。これにより、端末２は、以後、このリマンダーに関する報知を行わない。
【００５９】
なお、図５に示した例では、タッチセンサ２１３を利用者が操作して通知条件情報の登録を行い、報知部２９が有する画像表示部から報知する例を説明したが、これに限られない。通知条件情報の登録を音声によって行うようにしてもよい。また、報知部２９は、音声または振動を用いて報知を行うようにしてもよい。報知の種類は、例えばタッチセンサ２１３を利用者が操作して選択するようにしてもよく、音声によって選択するようにしてもよい。
【００６０】
＜情報処理装置４が端末２を検出する位置の範囲の例＞
次に、情報処理装置４が端末２を検出する位置の範囲の例を説明する。図６は、本実施形態に係る情報処理装置４が端末２を検出する位置の範囲の例を示す図である。図６において、符号Ｔｇは目的位置を表している。また、鎖線の円Ｔｚで示した範囲は、前述した所定の範囲である。図６に示すように、所定の範囲は、目的位置Ｔｇを中心とした半径ｒの円の範囲である。なお、図６に示した範囲の形状は一例であり、範囲の形状は円に限られず、楕円、四角形、多角形、または駅の構内の形状等であってもよい。
情報処理装置４は、端末２の位置が、目的位置Ｔｇから距離Ｌ１の場合、距離Ｌ１が半径ｒより大きいため、所定の範囲内ではないと判別する。また、情報処理装置４は、端末２の位置が、目的位置Ｔｇから距離Ｌ２（＜Ｌ１）の場合、距離Ｌ２が半径ｒより小さいため、所定の範囲内であると判別する。
【００６１】
＜端末２が情報を取得、送信する所定の時間間隔の例＞
次に、端末２が情報を取得、送信する所定の時間間隔の例を説明する。図７は、本実施形態に係る端末２が情報を取得、送信する所定の時間間隔の一例を示す図である。図７において、横軸は時刻を表す。また、時刻Ｔｔが目的時刻であり、時刻ｔ５〜ｔ７の時間Ｔｔｚが第２の所定時間である。図７に示すように、第２の所定時刻Ｔｔｚには、目的時刻Ｔｔが含まれている。
【００６２】
利用者によって、通知条件情報が入力された後、端末２は、入力された通知条件情報に含まれる目的位置情報と目的時刻情報を用いて条件情報を生成し、時刻ｔ１のとき、生成した条件情報を情報処理装置４へ送信する。
所定の時間間隔Δｔである時刻ｔ２、ｔ３、・・・のタイミングのとき、端末２は、端末２が使用されている現在位置情報を取得し、取得した現在位置情報に基づいて生成された状態情報を情報処理装置４へ送信する。
【００６３】
時刻ｔ４のとき、利用者が、登録した目的位置の所定の範囲内に移動したとする。なお、時刻ｔ４は、第２の所定時間Ｔｔｚ内に含まれていない時刻である。これにより、情報処理装置４は、時刻ｔ４のとき端末２が所定の範囲内に存在しているため、通知情報を端末２へ送信する。端末２は、時刻ｔ４のとき通知情報を受信する。端末２は、時刻ｔ４が、所定の時間Ｔｔｚ内に含まれていない時刻であると判別し、リマインダーの報知を行わない。
【００６４】
時刻ｔ６のとき、利用者が、登録した目的位置の所定の範囲内に移動したとする。なお、時刻ｔ６は、第２の所定時間Ｔｔｚ内に含まれている時刻である。これにより、情報処理装置４は、時刻ｔ６のとき端末２が所定の範囲内に存在しているため、通知情報を端末２へ送信する。端末２は、時刻ｔ６のとき通知情報を受信する。端末２は、時刻ｔ６が、所定の時間Ｔｔｚ内に含まれている時刻であると判別し、リマインダーの報知を行う。
【００６５】
＜端末２の処理手順の例＞
次に、端末２の処理手順の例を、図８を参照し、図９を用いて説明する。図８は、本実施形態に係る端末２、情報処理装置４の処理手順の一例を示すシーケンス図である。図９は、本実施形態に係る端末２の処理手順の一例を示すフローチャートである。
【００６６】
まず、利用者は、端末２を操作して目的位置、目的時刻を含む通知条件情報を入力する（図８、Ｐ１０１）。
（ステップＳ１０１）入力部２１は、入力された通知条件情報を取得する。
【００６７】
（ステップＳ１０２）条件情報生成部２２は、取得した通知条件情報に基づいて条件情報を生成し、識別子を付加した条件情報を送信部２４によって情報処理装置４へ送信する（図８、Ｐ１０２）。続けて、条件情報生成部２２は、生成した条件情報をリマインダーデータベース２３に書き込む。
【００６８】
（ステップＳ１０３）状態情報取得部２５は、検出情報を取得する。
（ステップＳ１０４）状態情報生成部２６は、取得された検出情報を用いて、条件情報に応じた状態情報を生成する。なお、条件情報が目的位置情報の場合、条件情報に応じた状態情報は、現在位置情報である。続けて、状態情報生成部２６は、識別子を付加した状態情報を送信部２４によって情報処理装置４へ送信する（図８、Ｐ１０３）。また、状態情報生成部２６は、状態情報と一緒に条件情報も送信部２４によって情報処理装置４へ送信するようにしてもよい。続けて、状態情報生成部２６は、生成した状態情報をリマインダー生成部２８に出力する。
【００６９】
（ステップＳ１０５）受信部２７は、通知情報を受信したか否かを判別する。受信部２７は、通知情報を受信したと判別した場合（ステップＳ１０５；ＹＥＳ）、ステップＳ１０６の処理に進み、通知情報を受信していないと判別した場合（ステップＳ１０５；ＮＯ）、ステップＳ１０４の処理に戻す。
【００７０】
（ステップＳ１０６）リマインダー生成部２８は、トリガ条件を満たしているか否かを判別する（図８、Ｐ１０６）。なお、トリガ条件とは、受信部２７が通知情報を出力したときから第１の所定の時間内に、状態情報生成部２６から状態情報がリマインダー生成部２８へ入力されたか否かである。
【００７１】
（ステップＳ１０７）リマインダー生成部２８は、トリガ条件を満たしていると判別した場合（ステップＳ１０７；ＹＥＳ）、ステップＳ１０８の処理に進め、トリガ条件を満たしていないと判別した場合（ステップＳ１０７；ＮＯ）、ステップＳ１０４の処理に戻す。
【００７２】
（ステップＳ１０８）リマインダー生成部２８は、現在位置が目的位置を含む所定の範囲内であり、かつ現在時刻が目的時刻を含む第２の所定の時間内であると決定してリマンダーを生成する。
（ステップＳ１０９）報知部２９は、リマインダー生成部２８が出力したリマインダーを、画像、音声、振動等のうち少なくとも１つを用いて報知する（図８、Ｐ１０７）。
（ステップＳ１１０）リマインダー生成部２８は、リマインダーを報知部２９に出力したとき、識別子と目的時刻情報を付加した実行情報を、送信部２４によって情報処理装置４へ送信する（図８、Ｐ１０８）。
以上で、端末２の処理を終了する。
【００７３】
＜情報処理装置４の処理手順の例＞
次に、情報処理装置４の処理手順の例を、図８を参照し、図１０を用いて説明する。図１０は、本実施形態に係る情報処理装置４の処理手順の一例を示すフローチャートである。
【００７４】
（ステップＳ２０１）取得部４１は、端末２が送信した条件情報を受信する。
（ステップＳ２０２）取得部４１は、端末２が送信した状態情報を受信する。
【００７５】
（ステップＳ２０３）条件判定部４６は、状態情報処理部４５から状態情報が入力されたとき、リマインダーデータベース４４を参照して、トリガ条件を満たしているか否かを判別する（図８、Ｐ１０４）。なお、トリガ条件とは、状態情報に含まれる現在位置情報が、識別子に対応付けられている目的位置の座標を中心とする所定の範囲内であるか否かである。
【００７６】
（ステップＳ２０４）条件判定部４６は、トリガ条件を満たしていると判別した場合（ステップＳ２０４；ＹＥＳ）、ステップＳ２０５に処理を進め、トリガ条件を満たしていないと判別した場合（ステップＳ２０４；ＮＯ）、ステップＳ２０２に処理を戻す。
【００７７】
（ステップＳ２０５）条件判定部４６は、現在位置が、所定の範囲内であると判別した場合、端末２が所定の範囲内に存在することを示す通知情報を生成する。
（ステップＳ２０６）条件判定部４６は、生成した通知情報を出力部４７によって端末２へ送信する（図８、Ｐ１０５）。
【００７８】
（ステップＳ２０７）条件判定部４６は、状態情報処理部４５から実行情報を受信したか否かを判別する。条件判定部４６は、実行情報を受信したと判別した場合（ステップＳ２０７；ＹＥＳ）、ステップＳ２０８の処理に進め、実行情報を受信していないと判別した場合（ステップＳ２０７；ＮＯ）、ステップＳ２０２の処理に戻す。
【００７９】
（ステップＳ２０８）条件判定部４６は、実行情報に含まれる識別子に対応付けられている目的位置の座標と目的時刻情報をリマインダーデータベース４４から削除する。
以上で、情報処理装置４の処理を終了する。
【００８０】
＜情報処理システム１の処理の具体例＞
ここで、情報処理システム１が行う処理の具体例を、図８等を参照しつつ説明する。
利用者は、例えば、図５の符号ｇ１０１や符号ｇ１０２が示す表示画像において、端末２のタッチセンサ２１３を操作して、通知条件情報「２０１５年７月７日１７時（目的時刻）に渋谷のＡＡビル（目的位置）で待ち合わせ」を入力する（図８、Ｐ１０１）。
次に、端末２は、入力された通知条件情報のうち、少なくとも目的位置情報を条件情報として情報処理装置４へ送信する（図８、Ｐ１０２）。なお、前述したように、送信される条件情報には識別子が付与されている。次に、情報処理装置４は、受信した条件情報をリマインダーデータベース４４に書き込む。
【００８１】
次に、端末２は、所定の時間間隔毎に現在位置情報と現在時刻情報を取得し、現在位置情報を条件情報として情報処理装置４へ送信する（図８、Ｐ１０３）。なお、前述したように、送信される状態情報には識別子が付与されている。次に、情報処理装置４は、受信した状態情報をリマインダーデータベース４４に書き込む。
【００８２】
次に、情報処理装置４は、端末２が使用されている現在位置が、目的位置を含む所定の範囲内であるか否かに応じて、トリガ条件の判別を行う（図８、Ｐ１０４）。
次に、情報処理装置４は、端末２が使用されている現在位置が、目的位置を含む所定の範囲内であると判別した場合、通知情報を生成して、生成した通知情報を端末２へ送信する（図８、Ｐ１０５）。
【００８３】
次に、端末２は、通知情報を受信したとき、現在時刻が、目的時刻を含む第２の所定時間内であるか否かに応じて、トリガ条件の判別を行う（図８、Ｐ１０６）。
次に、端末２は、現在時刻が、目的時刻を含む第２の所定時間内である場合、リマインダーを生成して、生成したリマインダーを図５の符号ｇ１０３の表示画像のように報知部２９に画像を用いて報知する（図８、Ｐ１０７）。
次に、端末２は、報知部２９からリマンダーの報知を実行したため、通知情報を情報処理装置４へ送信する（図８、Ｐ１０８）。なお、前述したように、送信される実行情報には識別子が付与されている。次に、情報処理装置４は、実行情報に含まれる識別子に対応付けられている目的位置の座標と目的時刻情報をリマインダーデータベース４４から削除する。
【００８４】
上述したように、本実施形態では、情報処理装置４が、例えば図６に示したように、端末２の位置についてのみトリガ条件の判別を行い、端末２が情報処理装置４から送信された通知情報に応じて、時刻についてのみトリガ条件の判別を行う。これにより、本実施形態では、リマインダーの報知処理を従来技術のように情報処理装置４が全て処理を行うのではなく、端末２と分散して処理を行うことができる。この結果、本実施形態によれば、リマンダーを通知する情報処理システムにおいて、情報処理装置４における負荷を軽減することができる。また、端末２にインストールされたリマインダーの報知を行うアプリケーションによって、位置と時刻について端末２のみでトリガ条件の判別を行う場合と比較して、端末２の負荷を低減することができ、端末２の消費電力を低減することができる。
【００８５】
なお、上述した例では、端末２が、条件情報として目的位置情報のみを情報処理装置４へ送信する例を説明したが、これに限られない。端末２は、条件情報として目的時刻情報のみを送信するようにしてもよく、または条件情報として目的位置情報と目的時刻情報の両方を送信するようにしてもよい。なお、端末２から情報処理装置４へ送信される条件情報は予め定められている。または、情報処理装置４は、端末２から受信した条件情報に含まれる情報が１つの場合、含まれている情報が目的位置情報であるか目的時刻情報であるのかを判別するようにしてもよい。そして、情報処理端末は、受信した条件情報に応じて、通知情報を生成する処理を行うようにしてもよい。
【００８６】
また、端末２は、状態情報として現在時刻情報のみを送信するようにしてもよく、または状態情報として現在位置情報、現在時刻情報およびセンサ情報の全てを送信するようにしてもよい。なお、端末２から情報処理装置４へ送信される状態情報は予め定められている。
【００８７】
なお、情報処理装置４は、通知条件情報が登録されている端末２を示す識別子が複数ある場合、上述した処理を端末２毎に行う。例えば、目的位置Ｔｇが登録されている識別子が１００個ある場合、情報処理装置４は、１００個の端末２それぞれについて所定の範囲内であるか否かの判別を行う。そして、このうち、１０個の端末２が所定の範囲内であると判別した場合、情報処理装置４は、この１０個の識別子に対応する端末２へ通知情報を送信する。このように、情報処理装置４は、端末２が所定の範囲内にあるか否かのみを判別し、端末２が所定の範囲にある時刻が第２の所定の時間内であるか否かの判別を行わない。このように、本システムを利用する端末２の数が増えれば増える程、本実施形態によれば、従来技術に対して、情報処理装置４の負荷を低減することができる。
【００８８】
この処理により、本実施形態では、端末２が、情報処理装置４側で処理する条件情報を送信し、情報処理装置４が送信したトリガ条件の判定結果である通知情報を受信する。そして、端末２は、通知情報を受信したとき、自端末で取得した現在時刻情報と目的時間情報との比較を行ってトリガ条件の判定を行うことができる。このように、本実施形態によれば、端末２と情報処理装置４で、リマインダーの報知処理を分散して行うことができるので、端末２と情報処理装置４それぞれの負荷を低減することができる。
【００８９】
＜端末におけるアプリケーション制御＞
本実施形態のリマインダー報知機能を備える端末２は、例えばスマートフォン、即ち携帯型であり、一般には充電可能なバッテリにより駆動されることが一般的である。このため、バッテリの持続時間はできるだけ長くなることが好ましい。しかしながら、本実施形態の場合には、端末２もリマインダーの報知処理の一部を担うことによる消費電力の増加が生じることから、バッテリの持続時間を短縮させる要因となる。この観点からすれば、リマインダーの報知処理の一部を担う端末２として、消費電力の低減が図られることが好ましい。
【００９０】
スマートフォンでは、同時に複数のアプリケーションが起動して動作中の状態となっていることが多い。スマートフォンの消費電力は、同時に動作しているアプリケーションの数が多くなるほど増加する。ただし、スマートフォンにて動作している複数のアプリケーションは、そのときの利用者にとっていずれもが必要であるとは限らず、停止（終了）してしまっても利用者にとって特に支障のないアプリケーションも含まれている場合も多い。
【００９１】
そこで、本実施形態においては、バッテリの充電状態に応じて、端末２において動作するアプリケーションについての制御を行う。
具体的には、端末２は、バッテリの容量（残容量）が少なくなるのに応じて、同時に動作が可能なアプリケーションの数（以下、「起動可能アプリケーション数」とも呼ぶ）を段階的に少なくしていくように設定する。そして、同時に動作しているアプリケーションの数が起動可能アプリケーション数よりも多い場合には、起動可能アプリケーション数以下となるように、同時に動作しているアプリケーションのうちから選択したアプリケーションを停止させる。
【００９２】
このようにアプリケーションについての制御を行えば、バッテリの容量が低下していくことに応じて、端末２は同時に動作するアプリケーションの最大数を制限していく。アプリケーションの最大数が制限されることに伴い、消費電力も削減されていく。この結果、端末２がリマインダー報知に関する条件判定に関する処理の一部を分担することによるバッテリの持続時間の短縮を抑制することが可能になる。
【００９３】
そのうえで、本実施形態においては、同時に動作しているアプリケーションの数が起動可能アプリケーション数以下となるように、停止対象のアプリケーションを選択するにあたり、予め利用者によって設定されたアプリケーションの優先順位（優先度の一例）を用いる。利用者は、端末２に対する操作により、端末２にインストールされているアプリケーション間での優先順位を設定することができる。
そして、端末２は、同時に動作しているアプリケーションの数が起動可能アプリケーション数以下となるように停止対象のアプリケーションを選択するにあたり、以下のように優先順位を利用する。つまり、端末２は、まず、現在動作しているアプリケーションのうちから、優先順位が高い順に従って起動可能アプリケーション数のアプリケーションを停止対象から除外し、残るアプリケーションを停止対象とする。
このように、アプリケーションの選択を行うことで、利用者にとって必要性の高いアプリケーションが停止対象として選択されにくくなる。
【００９４】
しかし、上記のように優先順位に従って停止対象のアプリケーションを選択したとしても、その際の利用者の状況によっては、停止対象として選択されたアプリケーションを使用しており、停止させたくないという場合もある。
そこで、端末２は、停止対象のアプリケーションを決定すると、これらのアプリケーションを直ちに停止させるのではなく、利用者に、停止対象のアプリケーションを提示し、停止させてよいか否かの確認を行うための停止確認画面を表示する。
停止確認画面を見た利用者は、停止対象として提示されたアプリケーションについて停止の承諾、または停止の拒否のいずれかを指定する操作を行うことができる。端末２は、停止が承諾されたアプリケーションについては終了させ、停止が拒否されたアプリケーションについては動作を停止させることなく継続させる。このようにして本実施形態においては、アプリケーションの停止にあたり、利用者の意思が反映されるようにして、利用者による端末２の使用が不便なものとならないように配慮される。
なお、以降において、上記のように端末２にて行われる、充電状態に応じたアプリケーション停止に関する制御については、「アプリケーション制御」とも呼ぶ。
【００９５】
以下、上記した本実施形態のアプリケーション制御を実現するための構成例について説明を行っていく。
前述のように、本実施形態の端末２がアプリケーション制御を行うにあたっては、事前に、利用者の操作によって端末２にインストールされているアプリケーション間での優先順位の設定が行われる。
本実施形態のリマインダーの報知は、例えば端末２にインストールされているリマインダーアプリケーションの動作によって実現される。利用者は、アプリケーションの優先順位は、リマインダーアプリケーションに対する操作によって設定を行う。なお、ここでの説明は、報知部２９が有する画像表示部がタッチセンサ２１３と組み合わされてタッチパネルとして構成されている場合の操作を例に挙げる。
【００９６】
利用者は、アプリケーション間の優先順位を設定するにあたり、リマインダーアプリケーションを起動させたうえで、リマインダーアプリケーションの画面に対して所定操作を行うことで、優先順位設定画面を表示させる。
図１１は、優先順位設定画面の一例を示している。同図の優先順位設定画面においては、アプリケーションリストエリアＡＲ１が配置されている。アプリケーションリストエリアＡＲ１には、端末２にインストールされているアプリケーションのリストが示される。同図のアプリケーションリストエリアＡＲ１においては、アプリケーションＡからアプリケーションＥまでの５つのアプリケーションごとのリスト項目が表示されている。
【００９７】
なお、インストールされているアプリケーションが５以上である場合には、以下のようにして他のアプリケーションのリスト項目を表示させればよい。つまり、例えばアプリケーションリストエリアＡＲ１に対するスクロール操作により、他のアプリケーションのリスト項目を表示させるようにすればよい。あるいは、アプリケーションリストエリアＡＲ１をページ構造として、ページを送るあるいは戻す操作により他のアプリケーションのリスト項目を表示させるようにしてもよい。
また、インストールされているアプリケーションが相当に多いような場合には、全てのアプリケーション毎に優先順位を設定することは非常に面倒である。そこで、例えば端末２は、過去における一定期間のアプリケーションの使用履歴を記憶するようにしたうえで、使用履歴に基づいて使用頻度が高い上位の所定数のアプリケーションを優先順位の設定対象としてアプリケーションリストエリアＡＲ１に表示させるようにしてもよい。
【００９８】
また、アプリケーションリストエリアＡＲ１においては、リスト項目毎に優先順位入力ボックスＢＸが配置されている。利用者は、優先順位入力ボックスＢＸに対して、対応のアプリケーションに設定したい優先順位を示す数値を入力する。なお、優先順位を示す数値入力は、優先順位入力ボックスＢＸに配置されるアップボタン、ダウンボタンに対するタッチ操作によって行える。あるいは、文字入力システムを用いて数としての文字を入力する操作によって優先順位を示す数値入力が行えるようにしてもよい。
【００９９】
利用者は、上記のようにアプリケーションリストエリアＡＲ１に対する操作によりアプリケーション間の優先順位を入力すると、設定ボタンＢＴ１に対するタッチ操作を行う。設定ボタンＢＴ１に対するタッチ操作に応じて、アプリケーションリストエリアＡＲ１に対する入力結果が反映されるように、アプリケーション間の優先順位が設定（更新）され、優先順位設定画面は消去される。
また、キャンセルボタンＢＴ２に対するタッチ操作が行われた場合には、アプリケーションリストエリアＡＲ１に対する入力結果はアプリケーション間の優先順位として設定されることなく優先順位設定画面が消去される。
優先順位設定画面が消去されると、例えばリマインダーアプリケーションのメイン画面に戻る。
【０１００】
本実施形態の端末２においてアプリケーション制御を行う部位は、アプリケーション制御部３１である。アプリケーション制御部３１は、まず、アプリケーション制御にあたり、バッテリの充電状態としてのバッテリの容量を取得する。アプリケーション制御部３１は、取得したバッテリの容量に基づいて、同時に起動可能なアプリケーションの数（起動可能アプリケーション数）を判定する。以下、この点について説明する。
【０１０１】
バッテリの容量は、バッテリの電圧の変化として現れる。図１２は、バッテリを或る一定の出力により継続して使用している場合における、時間経過に応じたバッテリの電圧（バッテリ電圧）の変化例を示している。この場合のバッテリは継続して電力を出力していることから時間経過に応じて容量が低下していく。同図によれば、時間経過に応じてバッテリ電圧が低下している。つまり、バッテリの容量が低下していくことに応じてバッテリ電圧も低下していくように変化する。また、バッテリの容量とバッテリ電圧は一意に対応する。
【０１０２】
そこで、本実施形態における充電状態検出部２５４は、バッテリの容量の検出のためにバッテリ電圧を検出する。充電状態検出部２５４は、アプリケーション制御部３１は、充電状態検出部２５４により検出されたバッテリ電圧を入力する。
本実施形態においては、満充電状態に対応するバッテリ電圧ＶＦから０Ｖまでの範囲を、バッテリ電圧の高い順で、第１容量レベルから第４容量レベルの４段階の容量レベルに区分するように設定する。第１容量レベルは、バッテリ電圧ＶＦからバッテリ電圧Ｖ３までの範囲であり、第２容量レベルは、バッテリ電圧Ｖ３からバッテリ電圧Ｖ２までの範囲であり、第３容量レベルは、バッテリ電圧Ｖ２からバッテリ電圧Ｖ１までの範囲であり、第４容量レベルは、バッテリ電圧Ｖ１から０Ｖまでの範囲である。
【０１０３】
なお、バッテリ電圧Ｖ１、Ｖ２、Ｖ３としての値は、例えばバッテリ電圧とバッテリの持続時間との対応関係などの特性に基づいて設定されればよい。従って、同図では、第１容量レベルから第４容量レベルの各容量レベルに対応して、バッテリ電圧ＶＦから０Ｖまでの電圧範囲を４等分するように記載されているが、各容量レベルに対応する電圧値の間隔が均等であるべき必要はない。また、容量レベルの段階数も、同図のような４段階に限定されない。
【０１０４】
アプリケーション制御部３１は、充電状態検出部２５４から入力したバッテリ電圧について、第１容量レベルから第４容量レベルのうちのいずれに該当するのかについて判定する。次に、アプリケーション制御部３１は、判定した容量レベルに対応する起動可能アプリケーション数を、以下のように判定する。
【０１０５】
リマインダーデータベース２３は、起動可能アプリケーション数テーブルを記憶している。図１３は、起動可能アプリケーション数テーブルの一例を示している。同図の起動可能アプリケーション数テーブルは、第１容量レベル、第２容量レベル、第３容量レベル、第４容量レベル毎に対して、それぞれ異なる起動可能アプリケーション数Ｍ１、Ｍ２、Ｍ３、Ｍ４を対応させた構造である。
ここで、起動可能アプリケーション数Ｍ１、Ｍ２、Ｍ３、Ｍ４は、Ｍ１＞Ｍ２＞Ｍ３＞Ｍ４の関係を有する正の整数である。なお、起動可能アプリケーション数Ｍ１については、正の整数に代えて無制限である（即ち、起動可能アプリケーション数に制限が無い）ことを示してもよい。
アプリケーション制御部３１は、起動可能アプリケーション数テーブルを参照することにより、判定した容量レベルに対応する起動可能アプリケーション数を判定する。一具体例として、アプリケーション制御部３１は、容量レベルについて第２容量レベルであると判定した場合、起動可能アプリケーション数テーブルから第２容量レベルに対応付けられた起動可能アプリケーション数Ｍ２を取得する。このようにしてアプリケーション制御部３１は、起動可能アプリケーション数についての判定を行う。
【０１０６】
アプリケーション制御部３１は、起動可能アプリケーション数についての判定を行うと、現在において動作中のアプリケーションが、判定された起動可能アプリケーション数よりも多いか否かについて判定する。ここで、起動可能アプリケーション数は、リマインダーアプリケーション自体を除外した数である場合を例に挙げる。
現在において動作中のアプリケーションが起動可能アプリケーション数以下であれば、アプリケーション制御部３１は、特にアプリケーションを停止させるための制御は行わない。
【０１０７】
これに対して、現在において動作中のアプリケーションが起動可能アプリケーション数より多い場合、アプリケーション制御部３１は、現在において動作中のアプリケーションのうちから停止対象のアプリケーションを以下のように選択する。停止対象のアプリケーションの数（停止対象アプリケーション数）は、現在において動作中のアプリケーションの数から起動可能アプリケーション数を減算して求められる。アプリケーション制御部３１は、現在において動作中のアプリケーションのうちから、優先順位の低い順に停止対象アプリケーション数のアプリケーションを選択する。このように選択されたアプリケーションが、停止対象のアプリケーションである。
アプリケーション制御部３１は、上記のように停止対象のアプリケーションを選択すると、リマインダーアプリケーションの画面として、停止確認画面を表示させる。
【０１０８】
図１４は、停止確認画面の一例を示している。停止確認画面は、利用者に、停止対象として選択されたアプリケーションを確認させる画面である。より具体的には、停止確認画面は、利用者に、停止対象として選択されたアプリケーションを提示し、停止対象のアプリケーションについての停止の可否を利用者に設定させる画面である。
同図の停止確認画面においては、メッセージエリアＡＲ１１が配置されている。メッセージエリアＡＲ１１は、バッテリの容量が低下して他のアプリケーションを停止させることが好ましい状況となった旨を利用者に通知するとともに、アプリケーションの停止の可否についての確認を利用者に求めるメッセージを表示するエリアである。
また、停止確認画面においては、停止対象アプリケーション提示エリアＡＲ１２が配置される。停止対象アプリケーション提示エリアＡＲ１２は、停止対象として選択されたアプリケーションを表示するエリアである。同図においては、停止対象アプリケーション提示エリアＡＲ１２において、アプリケーションＡとアプリケーションＥとの２つのアプリケーションが停止対象のアプリケーションとして提示された例を示している。
なお、端末２は、停止確認画面を表示させる際には、例えば音、バイブレーションなどにより、利用者への通知を行うとよい。
【０１０９】
同図の停止確認画面を見た利用者は、停止対象のアプリケーションがアプリケーションＡとアプリケーションＥであることを知ることができる。そのうえで、利用者は、アプリケーションＡとアプリケーションＥとを停止させてよいか否かの判断を行う。
利用者は、アプリケーションＡとアプリケーションＥとを停止させてよい（停止を承諾する）と判断した場合、停止の承諾の意思を反映させるために、停止確認画面に配置されている「はい」ボタンＢＴ１１に対するタッチ操作を行う。「はい」ボタンＢＴ１１に対するタッチ操作が行われると、端末２は、アプリケーションＡとアプリケーションＥとを停止させる。この場合、アプリケーションＡとアプリケーションＥとが停止されることによる消費電力の低減が図られ、バッテリの持続時間を長くすることができる。
一方、利用者は、例えばアプリケーションＡとアプリケーションＥとについて、現在使用中であるなどの理由で停止させることはしないと判断した場合、停止の拒否の意思を反映させるために、停止確認画面に配置されている「いいえ」ボタンＢＴ１２に対するタッチ操作を行う。「いいえ」ボタンＢＴ１２に対するタッチ操作が行われると、端末２は、アプリケーションＡとアプリケーションＥとを停止させることなく、これまでの動作を継続させる。この場合、消費電力の低減は図られないが、利用者の要望の通りにアプリケーションＡとアプリケーションＥとが動作するため、使い勝手が損なわれることがない。
【０１１０】
なお、同図の停止確認画面のように、停止対象として複数のアプリケーションが提示される場合、提示されたアプリケーション毎に停止の可否を設定できるようにしてもよい。
【０１１１】
図１５のフローチャートを参照して、本実施形態の端末２がアプリケーション制御のために実行する処理手順例について説明する。なお、同図の処理は一定の時間間隔毎に実行される。
（ステップＳ３０１）端末２のアプリケーション制御部３１は、充電状態検出部２５４により検出される充電状態としてバッテリ電圧を入力する。
（ステップＳ３０２）アプリケーション制御部３１は、ステップＳ３０１により入力したバッテリ電圧に応じて、例えば図１２に示した第１容量レベルから第４容量レベルのうちのいずれかの容量レベルを設定する。
【０１１２】
（ステップＳ３０３）次に、アプリケーション制御部３１は、現在においてバッテリへの充電が行われている状態であるか否かについて判定する。充電状態検出部２５４は、充電状態としてバッテリに対して充電が行われているか否かについても検出している。アプリケーション制御部３１は、バッテリに対して充電が行われているか否かについての充電状態検出部２５４の検出結果に基づいてステップＳ３０３の判定を行うことができる。
（ステップＳ３０４）バッテリへの充電が行われている状態であることが判定された場合（ステップＳ３０３；ＹＥＳ）、アプリケーション制御部３１は、ステップＳ３０２にて設定した容量レベルを一段階上に変更する。具体例として、ステップＳ３０２により第３容量レベルが設定されていた場合には、アプリケーション制御部３１は、ステップＳ３０４により第３容量レベルの一段階上の第２容量レベルに設定を変更する。
バッテリへの充電が行われている状態であるということは、現在以降のバッテリ容量については、現在のバッテリ容量よりも増加して余裕が生じる可能性が高い。そこで、ステップＳ３０４により容量レベルを一段階上に変更すれば、上記のようバッテリ容量に余裕が生じた状態を容量レベルの設定に反映させることができる。
一方、バッテリへの充電が行われていない状態であることが判定された場合（ステップＳ３０３；ＮＯ）、ステップＳ３０４はスキップされる。この場合、容量レベルとして、ステップＳ３０２にて設定された結果が用いられる。
【０１１３】
（ステップＳ３０５）アプリケーション制御部３１は、リマインダーデータベース２３が記憶する起動可能アプリケーション数テーブルを参照して、設定された容量レベルに対応する起動可能アプリケーション数Ｎ１を判定する。
（ステップＳ３０６）また、アプリケーション制御部３１は、既に起動されて現在において動作中のアプリケーションの数（動作中アプリケーション数）Ｎ２を判定する。
（ステップＳ３０７）アプリケーション制御部３１は、ステップＳ３０６にて判定した動作中アプリケーション数Ｎ２が、ステップＳ３０５にて判定した起動可能アプリケーション数Ｎ１よりも多いか否かについて判定する。
【０１１４】
（ステップＳ３０８）動作中アプリケーション数Ｎ２が起動可能アプリケーション数Ｎ１よりも多いことが判定された場合（ステップＳ３０７；ＹＥＳ）、停止対象のアプリケーションがあることになる。そこで、この場合のアプリケーション制御部３１は、動作中のアプリケーションのうちから、優先度の低い順に、（Ｎ２−Ｎ１）個のアプリケーションを選択する。このように選択されたアプリケーションが停止対象のアプリケーションである。
【０１１５】
（ステップＳ３０９）アプリケーション制御部３１は、図１４に例示した停止確認画面を報知部２９が有する画像表示部に表示させる。この際、アプリケーション制御部３１は、停止確認画面の停止対象アプリケーション提示エリアＡＲ１２に、ステップＳ３０８にて選択された停止対象のアプリケーションを表示させる。
（ステップＳ３１０）アプリケーション制御部３１は、停止確認画面に対する操作に応じたアプリケーションの停止に関連する制御を行う。
つまり、アプリケーション制御部３１は、停止対象アプリケーション提示エリアＡＲ１２にて提示された停止対象のアプリケーションについて停止を設定する操作が行われたのであれば、停止対象のアプリケーションを停止させる制御を行う。一方、アプリケーション制御部３１は、停止対象アプリケーション提示エリアＡＲ１２にて提示された停止対象のアプリケーションについて停止を設定しない操作が行われたのであれば、停止対象のアプリケーションを停止させずに動作を継続させる。
動作中アプリケーション数Ｎ２が起動可能アプリケーション数Ｎ１以下であることが判定された場合（ステップＳ３０７；ＮＯ）、停止対象のアプリケーションは無いことになる。そこで、この場合のアプリケーション制御部３１は、ステップＳ３０８〜Ｓ３１０の処理をスキップして、同図の処理を終了する。
このような処理によって、本実施形態におけるアプリケーション制御が実現される。
【０１１６】
［第２実施形態］
続いて、第２実施形態について説明する。本実施形態のリマインダー報知の条件は、現在位置が目的位置を含む所定の範囲内であること、という目的位置に対する現在位置の距離的な要素を含む。このことを考慮すれば、現在位置が目的位置に近づくほど、端末２がバッテリ切れを起こすことなく確実に動作していることの要求が高くなる。
そこで、本実施形態においては、バッテリ容量に基づく起動可能アプリケーション数について、現在位置が目的位置に近づくにつれてさらに制限されるように補正を行う。これにより、起動可能アプリケーション数は、現在位置が目的位置に近づくにつれて、バッテリ容量に基づく数よりもさらに少なく設定されることになる。この結果、現在位置が目的位置に近づいている状況のもとで、さらにバッテリ容量を持続させるようにすることが可能となる。そして、現在位置が目的位置に近づいている状況のもとで端末２がバッテリ切れとなってしまうことが起こりにくくなる。
【０１１７】
本実施形態においては、例えば目的位置を基準とする所定の距離範囲毎に応じた複数のエリアを設定する。
図１６は、本実施形態におけるエリア設定の一例を示している。同図においては、目的位置Ｔｇを中心とする距離Ｄｓ１までを半径とするエリアを第１エリアとしている。ここで、図６において円Ｔｚで示したリマインダー報知が行われる所定範囲は、同図に示されるように、第１エリア内に含まれる。
また、第１エリアのさらに外側において、目的位置Ｔｇを中心して、距離Ｄｓ１から距離Ｄｓ２までの範囲を第２エリアとしている。また、目的位置Ｔｇを中心して、距離Ｄｓ２から距離Ｄｓ３までの範囲を第３エリアとしている。
【０１１８】
本実施形態においては、上記のように目的位置を基準（中心）とする３つのエリアを設定したうえで、リマインダーデータベース２３が、エリア毎に補正値を対応させた補正値テーブルを記憶する。
図１７は、補正値テーブルの一例を示している。同図の補正値テーブルは、図１６のように設定された第１エリア、第２エリアおよび第３エリア毎に対応させて補正値α１、α２、α３を格納する構造である。
ここで、補正値α１、α２、α３はいずれも負の数であり、α１＜α２＜α３の関係を有する。一具体例として、α１＝−３、α２＝−２、α３＝−１のように設定することができる。
なお、この場合において、第３エリアより外側のエリアに現在位置が存在する場合に有意な補正は行われない。即ち、この場合の補正値は「０」である。
なお、エリア数とエリア数に応じた補正値の数については特に限定されない。
【０１１９】
図１８のフローチャートを参照して、本実施形態における端末２がアプリケーション制御に関連して実行する処理手順例について説明する。なお、同図の処理は、一定の時間間隔毎に実行される。
同図において、ステップＳ４０１〜Ｓ４０５の処理は、図１５のステップＳ３０１〜Ｓ３０５と同様となることから、ここでの説明は省略する。
【０１２０】
（ステップＳ４０６）アプリケーション制御部３１は、端末２の現在位置について、いずれのエリアに含まれているかについての判定を行う。このために、アプリケーション制御部３１は、端末２の現在位置をＧＰＳ２５１から取得する。ＧＰＳ２５１により測定される現在位置は、緯度経度により座標が表される。また、アプリケーション制御部３１は、緯度経度により座標が表される目的位置をリマインダーデータベース２３から取得する。アプリケーション制御部３１は、上記のように取得した現在位置と目的位置との座標を利用して、現在位置から目的位置までの距離を算出する。アプリケーション制御部３１は、算出した距離が、第１エリア、第２エリア、第３エリア、第３エリア外のいずれに対応する距離の範囲に該当するのかを判定する。このようにして、アプリケーション制御部３１は、端末２の現在位置がいずれのエリアに含まれているのかを判定できる。
【０１２１】
（ステップＳ４０７）アプリケーション制御部３１は、リマインダーデータベース２３が記憶する補正値テーブルを参照して、ステップＳ４０６により判定されたエリアに応じた補正値を取得する。具体的に、アプリケーション制御部３１は、ステップＳ４０６により判定されたエリアが、第１エリアから第３エリアのうちのいずれかであれば、判定されたエリアに応じた補正値αｉ（ｉは１、２、３のいずれか）を取得する。アプリケーション制御部３１は、ステップＳ４０６により判定されたエリアが、第３エリア外であれば、補正値として「０」を取得する。
【０１２２】
（ステップＳ４０８）アプリケーション制御部３１は、ステップＳ４０５により判定された起動可能アプリケーション数Ｎ１について、ステップＳ４０７により取得された補正値による補正を行って、補正起動可能アプリケーション数Ｎ１１を算出する。
アプリケーション制御部３１は、ステップＳ４０７により取得された補正値がαｉである場合、
Ｎ１１＝Ｎ１＋αｉ
により補正起動可能アプリケーション数Ｎ１１を算出する。
また、アプリケーション制御部３１は、ステップＳ４０７により取得された補正値が０である場合、
Ｎ１１＝Ｎ１＋０
により補正起動可能アプリケーション数Ｎ１１を算出する。
【０１２３】
（ステップＳ４０９）また、アプリケーション制御部３１は、動作中アプリケーション数Ｎ２を判定する。
（ステップＳ４１０）アプリケーション制御部３１は、ステップＳ４０９にて判定した動作中アプリケーション数Ｎ２が、ステップＳ４０８にて算出した補正起動可能アプリケーション数Ｎ１１よりも多いか否かについて判定する。
【０１２４】
動作中アプリケーション数Ｎ２が補正起動可能アプリケーション数Ｎ１１よりも多いことが判定された場合（ステップＳ４１０；ＹＥＳ）、アプリケーション制御部３１は、ステップＳ４１１〜Ｓ４１３の処理を実行する。ステップＳ４１１〜Ｓ４１３の処理は、図１５のステップＳ３０８〜Ｓ３１０と同様となるので、ここでの説明を省略する。
また、ステップＳ４１０動作中アプリケーション数Ｎ２が補正起動可能アプリケーション数Ｎ１１以下であることが判定された場合（ステップＳ４１０；ＮＯ）、ステップＳ４１１〜Ｓ４１３の処理をスキップして、同図の処理を終了する。
このような処理によって、本実施形態におけるアプリケーション制御が実現される。
【０１２５】
なお、上記実施形態においては、利用者の操作により端末２にインストールされているアプリケーションについて優先順位を設定したうえで、停止対象のアプリケーションを選択するようにされている。
しかしながら、本実施形態においては、アプリケーションについての優先順位の設定は行われなくともよい。アプリケーションについての優先順位の設定を行わないようにした場合、停止対象のアプリケーションの選択は、例えばランダムに行うようにしてもよい。
あるいは、例えば端末２にてインストールされているアプリケーションについての使用履歴を記憶する。そのうえで、端末２は、使用履歴に基づいて使用頻度の高いものから順に選択した起動可能アプリケーション数のアプリケーションを停止対象から除外し、残るアプリケーションを停止対象として選択するようにしてもよい。
また、例えばアプリケーションが起動された場合の単位時間あたりの消費電力についての情報を端末２が記憶しておき、消費電力の低いものから順に選択した起動可能アプリケーション数のアプリケーションを停止対象から除外し、残るアプリケーションを停止対象として選択するようにしてもよい。
【０１２６】
なお、停止対象として選択されたアプリケーションの動作を停止させている状態のもとで、利用者の操作や、所定のトリガの発生に応じてこれまで動作していなかったアプリケーションの起動が指示される場合がある。
このような場合には、アプリケーション制御部３１は、例えば今回起動が指示されたアプリケーションを起動させてよいか、あるいは起動させないようにするのかを利用者に選択させるダイアログ画面（起動選択画面）を表示させるとよい。
アプリケーション制御部３１は、起動選択画面に対して起動を選択する操作が行われた場合には、そのまま起動が指示されたアプリケーションを起動させる。一方、アプリケーション制御部３１は、起動選択画面に対して起動させないことを選択する操作が行われた場合には、起動が指示されたアプリケーションを起動させないように制御する。
【０１２７】
なお、これまでの各実施形態における説明では、端末２が現在位置情報を取得して送信する例を説明したが、取得および送信する情報は現在時刻情報またはセンサ情報であってもよい。この場合であっても、上述した効果と同様の効果が得られる。
【０１２８】
なお、上記各実施形態では、通知条件情報の例として、第１条件が目的位置情報、第２条件が目的時刻情報の例を説明したが、これに限られない。通知条件は、この２つの条件に限られず、例えばリマインダーを報知する目的を示す情報等を含んでいてもよい。また、第１条件が目的時刻情報であり、第２条件が目的位置情報であってもよい。
【０１２９】
なお、本発明における情報処理システム１が備える端末２または情報処理装置４の一部または全ての機能を実現するためのプログラムをコンピュータ読み取り可能な記録媒体に記録して、この記録媒体に記録されたプログラムをコンピュータシステムに読み込ませ、実行することにより上述した処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１３０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１３１】
例えば、利用者が端末２を操作して、例えばインターネット上から、端末２に上述した処理を行わせるアプリケーションをダウンロードする。そして、端末２は、ダウンロードしたアプリケーションを自装置へインストールすることで、端末２が備える機能部の一部を実現するようにしてもよい。
【符号の説明】
【０１３２】
１…情報処理システム、２…端末、３…ネットワーク、４…情報処理装置、２１…入力部、２２…条件情報生成部、２３…リマインダーデータベース、２４…送信部、２５…状態情報取得部、２６…状態情報生成部、２７…受信部、２８…リマインダー生成部、２９…報知部、３０…優先度設定部、３１…アプリケーション制御部、４１…取得部、４２…地図データベース、４３…条件情報処理部、４４…リマインダーデータベース、４５…状態情報処理部、４６…条件判定部、４７…出力部、２１１…収音部、２１２…音声認識部、２１３…タッチセンサ、２５１…ＧＰＳ、２５２…計時部、２５３…センサ部、２５４…充電状態検出部
【図１】
0006641577.tif 000002
【図２】
0006641577.tif 000003
【図３】
0006641577.tif 000004
【図４】
0006641577.tif 000005
【図５】
0006641577.tif 000006
【図６】
0006641577.tif 000007
【図７】
0006641577.tif 000008
【図８】
0006641577.tif 000009
【図９】
0006641577.tif 000010
【図１０】
0006641577.tif 000011
【図１１】
0006641577.tif 000012
【図１２】
0006641577.tif 000013
【図１３】
0006641577.tif 000014
【図１４】
0006641577.tif 000015
【図１５】
0006641577.tif 000016
【図１６】
0006641577.tif 000017
【図１７】
0006641577.tif 000018
【図１８】
0006641577.tif 000019